(57)【要約】      （修正有）【課題】簡単な構造で仏壇内部の空間を狭くしたり、仏壇を大きくしたりすることなしに仏壇内部を明るくすることができる仏壇を提供する。【解決手段】前面が開口した箱形の仏壇の内面に面発光する無機ＥＬ面発光体６を取り付けた仏壇。無機ＥＬ面発光体は、１枚の無機ＥＬシート単独で使用、あるいは、無機ＥＬ面発光体が基板に無機ＥＬシートが支持され、その上を透明アクリル製保護板で覆い、周囲をフレームで固定したパネルで使用することができる。無機ＥＬシートの発光面側の表面には装飾用シートを配置してもよい。【選択図】図１
0003134922.tif 000002
【実用新案登録請求の範囲】
【請求項１】
前面が開口した箱形の仏壇の内面に面発光する無機ＥＬ面発光体を取り付けたことを特徴とする仏壇。
【請求項２】
無機ＥＬ面発光体が無機ＥＬシートであることを特徴とする請求項１記載の仏壇。
【請求項３】
無機ＥＬ面発光体が基板に無機ＥＬシートが支持され、その上を透明アクリル製保護板で覆い、周囲をフレームで固定したことを特徴とする請求項１記載の仏壇。
【請求項４】
無機ＥＬシートの発光面側の表面に色や模様を付けた装飾用シートを配置したことを特徴とする請求項２又は３記載の仏壇。
【考案の詳細な説明】
【技術分野】
【０００１】
本考案は、箱形の仏壇内に無機ＥＬ面発光体を配置して内部を照明する仏壇に関する。
【背景技術】
【０００２】
仏像や位牌を内部に安置する仏壇は、下台輪に一対の横壁、および背板が設けられ、横壁および背板の上に上台輪が設けられ、前面には両開き扉、折りたたみ扉、あるいは片開き扉が取り付けられて箱形に形成されているものが一般的である。
【０００３】
仏壇内部の照明は、通常、灯明の光および外光によっている。しかしながら、従来の仏壇は、内部が暗く、特に隅のほうは暗くて飾りなどがよく見えないという難点がある。そこで、仏壇内部を照明して見映えをよくする仏壇用の照明装置が提案されている。
【０００４】
例えば、特許文献１には、内部に仏像体または仏像体が前面に描かれた掛軸を配置することが可能な仏壇内部に、仏像体または仏像体が前面に描かれた掛軸を直接にあるいは間接に照射するＬＥＤ光源が設けられており、このＬＥＤ光源が、光を集束して放射するレンズを有する集光タイプのＬＥＤである仏壇が記載されている。
【０００５】
また、特許文献２には、りん灯やローソクといった仏壇内部の照明具と類似形状を有する照明器具であり光源として発光ダイオードを使用した照明器具を用いるとともに、仏壇 内部にターミナルアダプタを取り付けた仏壇が記載されている。
【０００６】
また、特許文献３には、寿命が極めて長く、高輝度を有し、温度上昇が低くて安全な照明手段により仏壇の内部を照明するようにした照明装置付き仏壇として、仏壇の内部を照明する照明手段として冷陰極蛍光ランプを仏壇内に取り付けた照明装置付き仏壇が知られている。
【特許文献１】特開２００４−３５８０１０号公報
【特許文献２】実用新案登録第３０８３１４５号公報
【特許文献３】実用新案登録第３１０４６３７号公報
【考案の開示】
【考案が解決しようとする課題】
【０００７】
前記特許文献１に記載された仏壇は、光を集束して放射するレンズを有する集光タイプのＬＥＤであるため、ＬＥＤ光源とレンズを収納するスペースが必要となり仏壇が大きくなる。また、レンズを通して光を照射するため、レンズの配置によっては、レンズが配置されている部分が目立って見映えが悪くなる。
【０００８】
前記特許文献２に記載された仏壇の照明器具は、仏壇内部の照明具と類似形状を有する照明器具であるため、その配置が制限されて照明範囲が限られて仏壇内部を明るく照らすことができない場合がある。
【０００９】
また、特許文献３では、照明装置としてランプの取り付け手段が必要となるために構造が複雑となるだけでなく、ランプを取り付けるためのスペースも必要となるために仏壇が大型化あるいは仏壇内部の空間が狭くなる。
【００１０】
そこで、本考案は、簡単な構造で仏壇内部の空間を狭くしたり、仏壇を大きくしたりすることなしに仏壇内部を明るくすることができる仏壇を提供するものである。
【課題を解決するための手段】
【００１１】
本考案の仏壇は、前面が開口した箱形の仏壇の内面に面発光する無機ＥＬ面発光体を取り付けたことを特徴とする。
【００１２】
無機ＥＬ面発光体は、１枚の無機ＥＬシート単独で使用、あるいは、無機ＥＬ面発光体が基板に無機ＥＬシートが支持され、その上を透明アクリル製保護板で覆い、周囲をフレームで固定したパネルで使用することができる。
【００１３】
無機ＥＬシートの発光面側の表面にはシートを配置してもよい。
【００１４】
本考案で使用する無機ＥＬシートは、薄く、またフレキシブルであり、仏壇内の横壁、天井、底板、背板に容易に取り付けることができる。無機ＥＬシートは種々の大きさのものが市販されており、これらのシートから仏壇の大きさ、取り付ける面に応じて適当な大きさのシート選んで取り付けることができる。
【００１５】
無機ＥＬ面発光体を取り付ける箇所は、横壁の表面、背板の表面、天井の表面あるいは底板の表面のうち、仏壇内部に配置されている仏像、位牌、額などの位置や照明後に形成される仏壇内部の雰囲気を考慮して適宜選択することができ、例えば、両側の横壁から照明したり、天井から下方に向けて照明したり、背板のから前方に向けて照明したり、底板から上方に向けて照明したりして光と陰の変化により仏壇内部の雰囲気を変化させることができる。
【考案の効果】
【００１６】
本考案では、面発光体である無機ＥＬ面発光体により面発光するので、従来の点発光や線発光に比べて仏壇内部を広く照射することができる。
【００１７】
本考案で使用する面発光体は薄いので、取付により仏壇内部の空間が狭くなったり、仏壇が大きくなったりすることがない。
【００１８】
無機ＥＬ面発光体の上に、さらに色や模様の付いた装飾用シートを組み合わせることにより、仏壇内の雰囲気を変化させる演出効果が可能となる。
【考案を実施するための最良の形態】
【００１９】
本考案の実施例について図面により説明する。
【実施例１】
【００２０】
図１は本考案による仏壇の一例を示す斜視図である。図２は無機ＥＬ面発光体の取り付け構造を示す分解斜視図である。
【００２１】
図１において、仏壇は、両側の横壁１、天井２、背板３、棚板４からなる箱形に形成され、前面には扉５が配置される。
【００２２】
仏壇内部に、本実施例では、横壁１に照明用として面発光する無機ＥＬ面発光体６が取り付けられる。無機ＥＬ面発光体は、無機ＥＬシート単独、あるいはフレームで固定したパネルでもよい。
【００２３】
図２において、無機ＥＬ面発光体６は、基板７に無機ＥＬシート８が支持され、その上が透明アクリル製保護板９で覆われ、周囲がフレーム１０で固定される。無機ＥＬ面発光体へは商用電源からコードにより電力が供給される。コードやスイッチなどの付属品は見えないように配置される。
【００２４】
本実施例では、横壁に取り付けられた無機ＥＬ面発光体は面発光により、仏壇内部を広く照明することができる。また、無機ＥＬ面発光体は、発熱が小さいので、仏壇内部の温度が上がることがないので安全である。
【実施例２】
【００２５】
図３は本考案の別実施例を示す図である。図２に示す部材と同一部材には同一の符号を付してその説明は省略する。本実施例は無機ＥＬ面発光体の上に色、模様を有する装飾用シート１１を置いたものである。
【００２６】
本実施例は、色、模様を有する装飾用シート１１が無機ＥＬシート８に照明されて模様が浮き上がったり、光が色の部分を通過したりして仏壇内部の雰囲気に変化をもたらすことができる。
【図面の簡単な説明】
【００２７】
【図１】本考案による仏壇の一例を示す斜視図である。
【図２】図２は無機ＥＬ面発光体の取り付け構造を示す分解斜視図である。
【図３】本考案の別実施例を示す図である。
【符号の説明】
【００２８】
１：横壁                    ２：背板
３：棚板                    ４：天井
５：扉                      ６：無機ＥＬ面発光体
７：基板                    ８：無機ＥＬシート
９：透明アクリル製保護板  １０：フレーム
１１：装飾用シート
【図１】
0003134922.tif 000003
【図２】
0003134922.tif 000004
【図３】
0003134922.tif 000005